【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
ハウジング内に外部からの電波を受信するためのアンテナを備えた無線機能付き機器類のアンテナの上方に配置される表示板であって、
前記アンテナの視認側に配置され、非導電性の下板部材と、
前記下板部材の視認側に、少なくとも一部が下板部材と離間するように配置された上板部材とを備え、
前記上板部材には、下板部材と離間した領域を含む少なくとも１つの開口部が形成されていることを特徴とする表示板。
【請求項２】
前記上板部材が、下板部材に対して傾斜するように配置されていることを特徴とする請求項１に記載の表示板。
【請求項３】
前記上板部材が、下板部材に対して、視認側に膨出する部分を有することを特徴とする請求項１から２のいずれかに記載の表示板。
【請求項４】
前記膨出部分が、上板部材の外周部分から、中心部分に向かってドーム形状に膨出するように形成されていることを特徴とする請求項３に記載の表示板。
【請求項５】
前記上板部材と下板部材とが、接合層を介して、固定されていることを特徴とする請求項１から４のいずれかに記載の表示板。
【請求項６】
前記接合層が、接着剤、粘着剤、接合テープから選択した少なくとも一つの接合層から構成されていることを特徴とする請求項５に記載の表示板。
【請求項７】
前記上板部材が、下板部材に立設した支柱部材によって、下板部材と一定間隔離間するように配置されていることを特徴とする請求項１から６のいずれかに記載の表示板。
【請求項８】
前記アンテナが、上板部材の開口部に対応して配置されている請求項１から７のいずれかに記載の表示板を備えたことを特徴とする無線機能付き機器類。
【手続補正２】
【補正対象書類名】明細書
【補正対象項目名】００１０
【補正方法】変更
【補正の内容】
【００１０】
図３３に示すように、この電波時計１００には、時計ケース１１１を含むハウジング内に金属性の文字板１２０が配置され、文字板１２０の下方には、非導電性の素材からなる回転体として日付表示板１４０が配置されている。
【手続補正３】
【補正対象書類名】明細書
【補正対象項目名】０１８３
【補正方法】変更
【補正の内容】
【０１８３】
さらに、図示しないが、後述する実施例３のように、上板部材３４の視認側に、表示リング部材６８を配置することもできる。
【手続補正４】
【補正対象書類名】明細書
【補正対象項目名】０１９９
【補正方法】変更
【補正の内容】
【０１９９】
なお、この実施例の表示板２４では、上板部材３４と下板部材３２とが、上板部材３４の水平部分３４ａと下板部材３２の水平部分３２aにおいて、接合層を介して、固定したが、図示しないが、後述する実施例３のように、支柱部材５８の少なくとも一方の端部に、フランジ部分６４を形成するとともに、上板部材３４と下板部材３２の少なくとも一方にフランジ収容凹部６６を形成して、フランジ部分６４を、フランジ収容凹部６６に嵌合することによって、上板部材３４が、下板部材３２と一定間隔離間するように配置されていてもよい。
【手続補正５】
【補正対象書類名】明細書
【補正対象項目名】０２０４
【補正方法】変更
【補正の内容】
【０２０４】
（実施例３）
図１２は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図、図１３は、図１２の無線機能付きソーラー腕時計の断面図、図１４は、図１２の無線機能付きソーラー腕時計の表示板部分の正面図、図１５は、図１４の無線機能付きソーラー腕時計の表示板部分の斜視図、図１６は、図１４の無線機能付きソーラー腕時計の表示板部分の側面図、図１７は、図１４の無線機能付きソーラー腕時計の表示板の下板部材３２と上板部材３４との固定状態を説明する斜視図、図１８は、図１４の無線機能付きソーラー腕時計の表示板の下板部材３２と上板部材３４との固定状態を説明する分解斜視図、図１９は、図１４の無線機能付きソーラー腕時計の表示板の下板部材３２と上板部材３４との固定状態を説明する部分拡大断面図、図２０は、図１４の無線機能付きソーラー腕時計の表示板の下板部材３２と上板部材３４との固定状態を説明する部分拡大斜視図である。
【手続補正６】
【補正対象書類名】明細書
【補正対象項目名】０２３１
【補正方法】変更
【補正の内容】
【０２３１】
なお、この実施例では、両方の開放端部２６ａ、２６ｂが、上板部材３４の開口部３６の近傍に対応して配置したが、図示しないが、アンテナ２６の少なくとも一方の開放端部２６ａ、２６ｂが、上板部材３４の開口部３６の近傍に対応して配置すればよい。
【手続補正７】
【補正対象書類名】明細書
【補正対象項目名】０２５３
【補正方法】変更
【補正の内容】
【０２５３】
【図１】図１は、本発明の表示板を、ソーラーセル（太陽電池）からなるソーラー発電装置を備えた無線機能付きソーラー腕時計に組み込んだ状態を説明する無線機能付きソーラー腕時計の正面図である。
【図２】図２は、図１の無線機能付きソーラー腕時計の断面図である。
【図３】図３は、図１の無線機能付きソーラー腕時計の表示板部分の正面図である。
【図４】図４は、図１の無線機能付きソーラー腕時計の表示板部分の斜視図である。
【図５】図５は、図１の無線機能付きソーラー腕時計の表示板部分の側面図である。
【図６】図６は、図１の無線機能付きソーラー腕時計の表示板部分の部分拡大断面図である。
【図７】図７は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図である。
【図８】図８は、図７の無線機能付きソーラー腕時計の断面図である。
【図９】図９は、図７の無線機能付きソーラー腕時計の表示板部分の正面図である。
【図１０】図１０は、図７の無線機能付きソーラー腕時計の表示板部分の斜視図である。
【図１１】図１１は、図７の無線機能付きソーラー腕時計の表示板部分の部分拡大断面図である。
【図１２】図１２は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図である。
【図１３】図１３は、図１２の無線機能付きソーラー腕時計の断面図である。
【図１４】図１４は、図１２の無線機能付きソーラー腕時計の表示板部分の正面図である。
【図１５】図１５は、図１４の無線機能付きソーラー腕時計の表示板部分の斜視図である。
【図１６】図１６は、図１４の無線機能付きソーラー腕時計の表示板部分の側面図である。
【図１７】図１７は、図１４の無線機能付きソーラー腕時計の表示板の下板部材３２と上板部材３４との固定状態を説明する斜視図である。
【図１８】図１８は、図１４の無線機能付きソーラー腕時計の表示板の下板部材３２と上板部材３４との固定状態を説明する分解斜視図である。
【図１９】図１９は、図１４の無線機能付きソーラー腕時計の表示板の下板部材３２と上板部材３４との固定状態を説明する部分拡大断面図である。
【図２０】図２０は、図１４の無線機能付きソーラー腕時計の表示板の下板部材３２と上板部材３４との固定状態を説明する部分拡大斜視図である。
【図２１】図２１は、本発明の表示板を、ソーラーセル（太陽電池）からなるソーラー発電装置を備えた無線機能付きソーラー腕時計に組み込んだ状態を説明する実施例２、３の無線機能付きソーラー腕時計の磁束の状態を説明する部分拡大断面図である。
【図２２】図２２は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２３】図２３は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２４】図２４は、図２３の無線機能付きソーラー腕時計の磁束の状態を説明する部分拡大断面図である。
【図２５】図２５は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２６】図２６は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２７】図２７は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図である。
【図２８】図２８は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図である。
【図２９】図２９は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図３０】図３０は、図２９の無線機能付きソーラー腕時計の磁束の状態を説明する部分拡大断面図である。
【図３１】図３１は、本発明の表示板を、ソーラーセル（太陽電池）からなるソーラー発電装置を備えた無線機能付きソーラー腕時計に組み込んだ状態を説明する別の実施例の分解斜視図である。
【図３２】図３２は、図３１の無線機能付きソーラー腕時計の断面図である。
【図３３】図３３は、従来の無線機能付き時計の上面図である。
【図３４】図３４は、従来の無線機能付きソーラー腕時計の表示板部分の部分拡大断面図である。
【手続補正８】
【補正対象書類名】図面
【補正対象項目名】図２
【補正方法】変更
【補正の内容】
【図２】
2009250674.tif 000001
【手続補正９】
【補正対象書類名】図面
【補正対象項目名】図１６
【補正方法】変更
【補正の内容】
【図１６】
2009250674.tif 000002